(57)【要約】【課題】抱き枕用カバーに関し、カバー本体にクッションを入れることで鼾防止具として用いることができる。【解決手段】抱き枕用カバー１０は、左右一対の腕通し部５０を有するとともに、内部にクッション２０を入れることで、左右の腕通し部５０に左右の腕を通して横向きに寝た身体の前面でクッション２０を抱き抱えることが可能なカバー本体３０、クッション２０を入れたカバー本体３０を身体の前面に位置させた状態を維持させるように、身体の背面側を通してカバー本体３０に連結される巻き紐４０を備える。巻き紐４０の少なくとも一部が、伸縮可能に構成されている。【選択図】    図１
2004160068.tif 000002
【特許請求の範囲】
【請求項１】
左右一対の腕通し部を有するとともに、内部にクッションを入れることで、前記左右の腕通し部に左右の腕を通して横向きに寝た身体の前面で前記クッションを抱き抱えることが可能なカバー本体と、
前記クッションを入れた前記カバー本体を身体の前面に位置させた状態を維持させるように、身体の背面側を通して前記カバー本体に連結される巻き紐とを備え、
前記巻き紐の少なくとも一部が、
伸縮可能に構成されていることを特徴とする抱き枕用カバー。
【請求項２】
請求項１記載の抱き枕用カバーであって、
内部に前記クッションを入れた前記カバー本体には、
下顎を支持可能な下顎支持部を備えていることを特徴とする抱き枕用カバー。
【請求項３】
請求項１記載の抱き枕用カバーであって、
前記カバー本体に入れた前記クッションには、
下顎を支持可能な下顎支持部を備えていることを特徴とする抱き枕用カバー。
【請求項４】
請求項１〜３のいずれか１項に記載の抱き枕用カバーであって、
前記カバー本体は、
筒形に形成されていることを特徴とする抱き枕用カバー。
【請求項５】
請求項１〜４のいずれか１項に記載の抱き枕用カバーであって、
前記巻き紐には、
身体を仰向けにした際に、床面に押されて身体を弾性的に押圧する押圧部を設けていることを特徴とする抱き枕用カバー。
【請求項６】
請求項５に記載の抱き枕用カバーであって、
前記押圧部は、球形に形成されていることを特徴とする抱き枕用カバー。
【請求項７】
請求項５に記載の抱き枕用カバーであって、
前記押圧部は、背骨に沿って長い円柱形に形成されていることを特徴とする抱き枕用カバー。
【請求項８】
請求項１〜７のいずれか１項に記載の抱き枕用カバーであって、
前記巻き紐は、首から吊り下げるように形成されていることを特徴とする抱き枕用カバー。
【請求項９】
請求項１〜８のいずれか１項に記載の抱き枕用カバーであって、
前記巻き紐は、腰に巻くように形成されていることを特徴とする抱き枕用カバー。
【請求項１０】
請求項１〜７のいずれか１項に記載の抱き枕用カバーであって、
前記巻き紐は、肩から背負えるように形成されていることを特徴とする抱き枕用カバー。
【発明の詳細な説明】
【０００１】
【発明の属する技術分野】
この発明は、抱き枕用カバーに関し、カバー本体にクッションを入れることで鼾防止具として用いることができる。
【０００２】
【従来の技術】
従来の鼾防止具としては、身体の背中に装着することができるものがあった（例えば、特許文献１の図１参照。）。
また、出願人は、抱き枕型の鼾防止具を既に出願している（特願２００１−２４４４７号の願書に添付した図１及び図３参照。）。
【０００３】
【特許文献１】
特開２００１−６１８７５号公報（図１）
【０００４】
【発明が解決しようとする課題】
しかし、上記した従来の鼾防止具では、身体の背中に装着するため、寝返り等、体の向きを変更することが困難であるという問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、第一に、カバー本体に入れたクッションが身体の前面に位置させることで、寝返り等、体の向きを容易に変更することができるようにしたものである。
【０００５】
第二に、請求項１に記載の発明は、左右一対の腕通し部に左右の腕をそれぞれ通しておくことで、左右の腕を身体の前方に維持することができるようにしたものである。
このため、請求項１に記載の発明によれば、側臥位をうながし、舌根沈下による気道の狭窄を防止することができる。
【０００６】
また、請求項１に記載の発明によれば、鼾による睡眠不足や睡眠時無呼吸症候群の原因を解消することができる。
第三に、請求項１に記載の発明は、左右の腕通し部に左右の腕をそれぞれ通しておくことで、寝ている人の体動に追従させることができ、睡眠後も自然に抱いた姿勢を維持することができるようにしたものである。
【０００７】
第四に、請求項１に記載の発明は、巻き紐を身体の背面側に回しておくことで、身体への追従性を向上することができるようにしたものである。
第五に、請求項１に記載の発明は、巻き紐の少なくとも一部に伸縮性を与えることで、身体への装着性や装着感を向上することができるようにしたものである。
（請求項２）
請求項２に記載の発明は、上記した請求項１に記載の発明の目的に加え、次の点を目的とする。
【０００８】
すなわち、請求項２に記載の発明は、下顎がカバー本体の下顎支持部、すなわちクッションに当たることにより、頸の屈曲が制限され、頸が屈曲することよる気道の圧迫を防ぐことができる。
すなわち、下顎がカバー本体の下顎支持部、すなわちクッションにより支えられることにより、頸が直線化し、気道の圧迫を防ぐことができる。
【０００９】
このため、請求項２に記載の発明によれば、いびきや睡眠時無呼吸症候群を予防することができる。
（請求項３）
請求項３に記載の発明は、上記した請求項１に記載の発明の目的に加え、次の点を目的とする。
【００１０】
すなわち、請求項３に記載の発明は、下顎がクッションの下顎支持部に当たることにより、頸の屈曲が制限され、頸が屈曲することよる気道の圧迫を防ぐことができる。
すなわち、下顎がクッションの下顎支持部により支えられることにより、頸が直線化し、気道の圧迫を防ぐことができる。
【００１１】
このため、請求項３に記載の発明によれば、いびきや睡眠時無呼吸症候群を予防することができる。
（請求項４）
請求項４に記載の発明は、上記した請求項１〜３のいずれか１項に記載の発明の目的に加え、次の点を目的とする。
【００１２】
すなわち、請求項４に記載の発明は、カバー本体を筒形とすることで、カバー本体の構造を簡便にでき、しかもクッションを容易に入れることができるようにしたものである。
（請求項５）
請求項５に記載の発明は、上記した請求項１〜４のいずれか１項に記載の発明の目的に加え、次の点を目的とする。
【００１３】
すなわち、請求項５に記載の発明は、巻き紐の押圧部により、身体が仰向けになるのを確実に防止することができるようにしたものである。
これに加え、請求項５に記載の発明によれば、身体が仰向けになると、押圧部により身体が押圧されることで、側臥位をうながすことができる。
（請求項６）
請求項６に記載の発明は、上記した請求項５に記載の発明の目的に加え、次の点を目的とする。
【００１４】
すなわち、請求項６に記載の発明は、押圧部を球形に形成して、首の後ろ、背中、或いは腰等を押圧することができるようにしたものである。
（請求項７）
請求項７に記載の発明は、上記した請求項５に記載の発明の目的に加え、次の点を目的とする。
【００１５】
すなわち、請求項７に記載の発明は、押圧部を背骨に沿って長い円柱形に形成して、背中を押圧することができるようにしたものである。
（請求項８）
請求項８に記載の発明は、上記した請求項１〜７のいずれか１項に記載の発明の目的に加え、次の点を目的とする。
【００１６】
すなわち、請求項８に記載の発明は、巻き紐を首から吊り下げることができるようにしたものである。
（請求項９）
請求項９に記載の発明は、上記した請求項１〜８のいずれか１項に記載の発明の目的に加え、次の点を目的とする。
【００１７】
すなわち、請求項９に記載の発明は、巻き紐を腰に巻くことができるようにしたものである。
（請求項１０）
請求項１０に記載の発明は、上記した請求項１〜７のいずれか１項に記載の発明の目的に加え、次の点を目的とする。
【００１８】
すなわち、請求項１０に記載の発明は、巻き紐を肩に背負うことができるようにしたものである。
【００１９】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００２０】
また、図面番号も、発明の実施の形態において用いた図番を示し、本発明の技術的範囲を限定するものではない。
（請求項１）
請求項１に記載の発明は、次の点を特徴とする。
第一に、抱き枕用カバー（１０）は、例えば図１〜３に示すように、次の構成を備える。
【００２１】
（１）カバー本体（３０）
カバー本体（３０）は、例えば図１〜２に示すように、左右一対の腕通し部（５０）を有するとともに、内部にクッション（２０）を入れることで、左右の腕通し部（５０）に左右の腕を通して横向きに寝た身体の前面でクッション（２０）を抱き抱えることが可能なものである。
【００２２】
（２）巻き紐（４０）
巻き紐（４０）は、例えば図１〜３に示すように、クッション（２０）を入れたカバー本体（３０）を身体の前面に位置させた状態を維持させるように、身体の背面側を通してカバー本体（３０）に連結されるものである。
第二に、巻き紐（４０）の少なくとも一部が、伸縮可能に構成されている。
（請求項２）
請求項２に記載の発明は、上記した請求項１に記載の発明の特徴点に加え、次の点を特徴とする。
【００２３】
すなわち、内部にクッション（２０）を入れたカバー本体（３０）には、例えば図２に示すように、下顎を支持可能な下顎支持部（３３）を備えている。
（請求項３）
請求項３に記載の発明は、上記した請求項１に記載の発明の特徴点に加え、次の点を特徴とする。
【００２４】
すなわち、カバー本体（３０）に入れたクッション（２０）には、例えば図６及び図９に示すように、下顎を支持可能な下顎支持部（２１）を備えている。
（請求項４）
請求項４に記載の発明は、上記した請求項１〜３のいずれか１項に記載の発明の特徴点に加え、次の点を特徴とする。
【００２５】
すなわち、カバー本体（３０）は、例えば図１に示すように、筒形に形成されている。
（請求項５）
請求項５に記載の発明は、上記した請求項１〜４のいずれか１項に記載の発明の特徴点に加え、次の点を特徴とする。
【００２６】
すなわち、巻き紐（４０）には、例えば図１〜３に示すように、身体を仰向けにした際に、床面に押されて身体を弾性的に押圧する押圧部（６０）を設けている。
（請求項６）
請求項６に記載の発明は、上記した請求項５に記載の発明の特徴点に加え、次の点を特徴とする。
【００２７】
すなわち、押圧部（６０）は、例えば図１〜３に示すように、球形に形成されている。
（請求項７）
請求項７に記載の発明は、上記した請求項５に記載の発明の特徴点に加え、次の点を特徴とする。
【００２８】
すなわち、押圧部（１００）は、例えば図７〜９に示すように、背骨に沿って長い円柱形に形成されている。
（請求項８）
請求項８に記載の発明は、上記した請求項１〜７のいずれか１項に記載の発明の特徴点に加え、次の点を特徴とする。
【００２９】
すなわち、巻き紐（４０）は、例えば図３に示すように、首から吊り下げるように形成されている。
（請求項９）
請求項９に記載の発明は、上記した請求項１〜８のいずれか１項に記載の発明の特徴点に加え、次の点を特徴とする。
【００３０】
すなわち、巻き紐（４０）は、例えば図５に示すように、腰に巻くように形成されている。
（請求項１０）
請求項１０に記載の発明は、上記した請求項１〜７のいずれか１項に記載の発明の特徴点に加え、次の点を特徴とする。
【００３１】
すなわち、巻き紐（９０）は、例えば図７〜９に示すように、肩から背負えるように形成されている。
【００３２】
【発明の実施の形態】
（図面の説明）
図１〜５は、本発明の第一の実施の形態の一例をそれぞれ示すものである。
図１は、抱き枕用カバー及びクッションの斜視図、図２は使用状態の斜視図、図３は巻き紐を首から吊り下げた状態の正面図、図４は図３に対応し、使用状態を説明するための側面図、図５は巻き紐を腰に巻いた状態の正面図をそれぞれ示すものである。
【００３３】
図６は、本発明の第二の実施の形態の一例を示し、同図は抱き枕用カバー及びクッションの斜視図を示すものである。
図７〜９は、本発明の第三の実施の形態の一例をそれぞれ示すものである。
図７は、抱き枕用カバー及びクッションの斜視図、図８は抱き枕用カバーの平面図、図９は使用状態の正面図をそれぞれ示すものである。
（抱き枕用カバー１０）
図１中、１０は、抱き枕用カバーを示すものであり、クッション２０を装着して使用する。
【００３４】
抱き枕用カバー１０は、図１に示すように、次のパーツを備える。
（１）カバー本体３０
（２）巻き紐４０
なお、抱き枕用カバー１０のパーツは、上記した（１）〜（２）に限定されない。
（カバー本体３０）
カバー本体３０は、図１〜２に示すように、左右一対の腕通し部５０を有するとともに、内部にクッション２０を入れることで、左右の腕通し部５０に左右の腕を通して横向きに寝た身体の前面でクッション２０を抱き抱えることが可能なものである。
【００３５】
具体的には、カバー本体３０は、図１に示すように、筒形に形成されている。そして、カバー本体３０は、少なくとも一部が、伸縮可能に構成されている。本実施の形態では、カバー本体３０は、伸縮性のある生地を、円筒形に縫い付けて形成している。
カバー本体３０は、図１〜３に示すように、次のパーツを備える。
【００３６】
なお、カバー本体３０のパーツは、次の（１）〜（３）に限定されない。
（１）上カバー３１
（２）下カバー３２
（３）下顎支持部３３
（４）腕通し部５０
なお、カバー本体３０のパーツは、上記した（１）〜（３）に限定されない。
（上カバー３１）
上カバー３１は、図１に示すように、筒形のカバー本体３０の開口上面を一部覆い隠すものである。そして、上カバー３１は、少なくとも一部が、伸縮可能に構成されている。本実施の形態では、上カバー３１は、カバー本体３０と同じ伸縮性のある生地を使用し、その両端部をカバー本体３０の上方の開口縁部にブリッジ状に縫い付けている。
（下カバー３２）
下カバー３２は、図１に示すように、筒形のカバー本体３０の開口下面を一部覆い隠すものである。そして、下カバー３２は、少なくとも一部が、伸縮可能に構成されている。本実施の形態では、下カバー３２は、カバー本体３０と同じ伸縮性のある生地を使用し、その両端部をカバー本体３０の下方の開口縁部にブリッジ状に縫い付けている。
（下顎支持部３３）
下顎支持部３３は、図２に示すように、内部にクッション２０を入れたカバー本体３０の上端部に位置し、下顎を支持可能なものである。
【００３７】
下顎が下顎支持部３３、すなわちクッション２０に当たることにより、頸の屈曲が制限され、頸が屈曲することよる気道の圧迫を防ぐことができる。
下顎が下顎支持部３３、すなわちクッション２０により支えられることにより、頸が直線化し、気道の圧迫を防ぐことができる。
このため、下顎支持部３３により、いびきや睡眠時無呼吸症候群を予防することができる。
（腕通し部５０）
腕通し部５０は、図１〜３に示すように、左右一対有り、カバー本体３０の左右両側に固定されている。
【００３８】
具体的には、左右の腕通し部５０は、図１〜３に示すように、連結部５１を介して、カバー本体３０の左右両側に固定されている。
連結部５１は、少なくとも一部が、伸縮可能に構成されている。本実施の形態では、巻き紐４０にゴム紐を使用しているが、これに限定されない。
なお、腕通し部５０を、連結部５１を介さず、カバー本体３０に直接、固定しても良い。
（巻き紐４０）
巻き紐４０は、図１〜３に示すように、クッション２０を入れたカバー本体３０を身体の前面に位置させた状態を維持させるように、身体の背面側を通してカバー本体３０に連結されるものである。
【００３９】
具体的には、巻き紐４０は、少なくとも一部が、伸縮可能に構成されている。本実施の形態では、巻き紐４０にゴム紐を使用しているが、これに限定されない。
巻き紐４０は、図３に示すように、首から吊り下げても良いし、或いは、図５に示すように、腰に巻き付けるようにしても良い。
巻き紐４０には、図１〜３に示すように、次のパーツを備える。
【００４０】
（１）押圧部６０
なお、巻き紐４０のパーツは、上記した（１）に限定されない。
（押圧部６０）
押圧部６０は、図１〜３に示すように、身体を仰向けにした際に、床面に押されて身体を弾性的に押圧するものである。
【００４１】
具体的には、押圧部６０は、図１〜３に示すように、球形に形成されている。
なお、押圧部６０の形状は、球形に限定されない。
（使用方法）
上記した構成を備える抱き枕用カバー１０を使用する際には、図示しないが、カバー本体３０の上カバー３１又は下カバー３２を横にずらし、カバー本体３０の開口にクッション２０を挿入する。このとき、カバー本体３０の伸縮性を利用して、クッション２０を挿入する。
【００４２】
なお、クッション２０は、市販の円柱形のものに限らず、角柱形のものや、枕、或いは座布団等を複数折り、例えば二つ折りにして挿入しても良い。
クッション２０を挿入後、横にずらしておいたカバー３１又は下カバー３２を元に戻すことで、カバー本体３０の開口を一部覆い隠すことができる。
つぎに、身体への装着方法については、次の二種類の方法がある。
【００４３】
（１）巻き紐４０を首から吊り下げる装着方法
（２）巻き紐４０を腰に巻く装着方法
なお、装着方法は、上記した（１）〜（２）に限定されず、巻き紐４０を背中に巻くようにして装着しても良い。
（巻き紐４０を首から吊り下げる装着方法）
まず、左右の腕通し部５０に、図２〜３に示すように、腕を通す。このとき、腕通し部５０の伸縮性を利用して、肘より上方に通す。
【００４４】
つぎに、巻き紐４０のループ内に頭を通し、図２〜３に示すように、首の位置迄、下げる。
こうして、装着すると、図２〜４に示すように、押圧部６０が、首の後ろ側に位置する。
上記装着状態で、横になると、図２に示すように、クッション２０の入ったカバー本体３０を両腕で抱きかかえ、又、カバー本体３０の上カバー３１の上面に顎を載せることで、身体が横向きの姿勢を維持できる。
【００４５】
仮に、身体が仰向けになろうとすると、両手が前方に出ているため、窮屈感が伴い、睡眠状態でも無意識に横向き状態に回転する。
さらに、身体が仰向けになると、図５に二点鎖線で示すように、或いは図３に示すように、床（布団やマット）に押されて押圧部６０がたわみ、その弾性復元力で首の後ろ側が押圧される。
【００４６】
このため、睡眠状態でも、身体が仰向け状態から、図５に示すように、無意識に横向き状態に回転する。
（巻き紐４０を腰に巻く装着方法）
すなわち、左右の腕を通した後、巻き紐４０のループ内に身体を通し、図５に示すように、腰の位置迄、下げる。
【００４７】
こうして、装着すると、押圧部６０が、図５に示すように、腰の後ろ側、或いは背中に位置する。
身体が仰向けになると、図５に示すように、床（布団やマット）に押されて押圧部６０がたわみ、その弾性復元力で腰の後ろ側や背中が押圧される。
このため、睡眠状態でも、身体が仰向け状態から、無意識に横向き状態に回転する。
（第二の実施の形態）
図６は、本発明の第二の実施の形態を示すものである。
【００４８】
本実施の形態の特徴は、第一に、図６に示すように、カバー本体３０の下方の開口縁部に下バンド７０を固定した点である。
第二に、本実施の形態の特徴は、図６に示すように、カバー本体３０に入れたクッション２０に、図９に示すように、下顎を支持可能な下顎支持部２１を備えている点である。
【００４９】
下顎が下顎支持部２１に当たることにより、頸の屈曲が制限され、頸が屈曲することよる気道の圧迫を防ぐことができる。
下顎が下顎支持部２１により支えられることにより、頸が直線化し、気道の圧迫を防ぐことができる。
このため、下顎支持部２１により、いびきや睡眠時無呼吸症候群を予防することができる。
【００５０】
なお、本実施の形態の説明においては、先に図１〜５を用いて説明した第一の実施の形態と同一の構成部分については、同一符号を用いて、説明を省略する。
（使用方法）
上記した構成を備える抱き枕用カバー１０を使用する際には、図示しないが、カバー本体３０の開口上面からクッション２０を挿入する。カバー本体３０の開口下面から出たクッション２０の下部は、下バンド７０により受け止められる。
（第三の実施の形態）
図７〜９は、本発明の第三の実施の形態を示すものである。
【００５１】
本実施の形態の特徴は、第一に、カバー本体８０を、図７に示すように、伸縮性のあるバンド状の生地を、ループ状に縫い付けて形成した点である。
第二に、本実施の形態の特徴は、図９に示すように、巻き紐９０を肩に背負えるように形成した点である。
第三に、本実施の形態の特徴は、図７〜９に示すように、押圧部１００を背骨に沿って長い円柱形に形成した点である。
【００５２】
第四に、本実施の形態の特徴は、図８に示すように、カバー本体８０と巻き紐９０との間に、カバー本体８０を巻き紐９０に着脱可能に取り付けるための、スナップボタン等の連結部材１１０，１１１を設けている点である。
なお、連結部材１１０，１１１は、スナップボタンに限定されず、面ファスナやバックル等を使用しても良い。
【００５３】
第五に、本実施の形態の特徴は、図９に示すように、カバー本体３０に入れたクッション２０に、図９に示すように、下顎を支持可能な下顎支持部２１を備えている点である。
下顎が下顎支持部２１に当たることにより、頸の屈曲が制限され、頸が屈曲することよる気道の圧迫を防ぐことができる。
【００５４】
下顎が下顎支持部２１により支えられることにより、頸が直線化し、気道の圧迫を防ぐことができる。
このため、下顎支持部２１により、いびきや睡眠時無呼吸症候群を予防することができる。
また、本実施の形態の説明においては、先に図１〜５を用いて説明した第一の実施の形態と同一の構成部分については、同一符号を用いて、説明を省略する。
（使用方法）
上記した構成を備える抱き枕用カバー１０を使用する際には、図示しないが、ループ状のカバー本体３０にクッション２０を挿入する。このとき、カバー本体３０の伸縮性を利用して、クッション２０を挿入する。
（身体への装着方法）
つぎに、身体への装着方法について説明する。
【００５５】
まず、図９に示すように、巻き紐９０を背負って、巻き紐９０を連結部材１１０，１１１を介してカバー本体８０に連結する。
その後、左右の腕通し部５０に、図９に示すように、腕を通す。このとき、腕通し部５０の伸縮性を利用して、肘より上方に通す。
こうして、装着すると、円柱形の押圧部１００が、図９に示すように、背中に沿って位置する。
【００５６】
身体が仰向けになると、図９に示すように、床（布団やマット）に押されて押圧部６０がたわみ、その弾性復元力で背中が押圧される。
このため、睡眠状態でも、身体が仰向け状態から、無意識に横向き状態に回転する。
【００５７】
【発明の効果】
本発明は、以上のように構成されているので、以下に記載されるような効果を奏する。
（請求項１）
請求項１に記載の発明によれば、次のような効果を奏する。
【００５８】
すなわち、請求項１に記載の発明によれば、左右一対の腕通し部に左右の腕をそれぞれ通しておくことで、左右の腕を身体の前方に維持することができる。
このため、請求項１に記載の発明によれば、側臥位をうながし、舌根沈下による気道の狭窄を防止することができる。
また、請求項１に記載の発明によれば、鼾による睡眠不足や睡眠時無呼吸症候群の原因を解消することができる。
【００５９】
第三に、請求項１に記載の発明によれば、左右の腕通し部に左右の腕をそれぞれ通しておくことで、寝ている人の体動に追従させることができ、睡眠後も自然に抱いた姿勢を維持することができる。
第四に、請求項１に記載の発明によれば、巻き紐を身体の背面側に回しておくことで、身体への追従性を向上することができる。
【００６０】
第五に、請求項１に記載の発明によれば、巻き紐の少なくとも一部に伸縮性を与えることで、身体への装着性や装着感を向上することができる。
（請求項２）
請求項２に記載の発明は、上記した請求項１に記載の発明の効果に加え、次のような効果を奏する。
【００６１】
すなわち、請求項２に記載の発明によれば、下顎がカバー本体の下顎支持部、すなわちクッションに当たることにより、頸の屈曲が制限され、頸が屈曲することよる気道の圧迫を防ぐことができる。
すなわち、下顎がカバー本体の下顎支持部、すなわちクッションにより支えられることにより、頸が直線化し、気道の圧迫を防ぐことができる。
【００６２】
このため、請求項２に記載の発明によれば、いびきや睡眠時無呼吸症候群を予防することができる。
（請求項３）
請求項３に記載の発明によれば、上記した請求項１に記載の発明の効果に加え、次のような効果を奏する。
【００６３】
すなわち、請求項３に記載の発明によれば、下顎がクッションの下顎支持部に当たることにより、頸の屈曲が制限され、頸が屈曲することよる気道の圧迫を防ぐことができる。
すなわち、下顎がクッションの下顎支持部により支えられることにより、頸が直線化し、気道の圧迫を防ぐことができる。
【００６４】
このため、請求項３に記載の発明によれば、いびきや睡眠時無呼吸症候群を予防することができる。
（請求項４）
請求項４に記載の発明によれば、上記した請求項１〜３のいずれか１項に記載の発明の効果に加え、次のような効果を奏する。
【００６５】
すなわち、請求項４に記載の発明によれば、カバー本体を筒形とすることで、カバー本体の構造を簡便にでき、しかもクッションを容易に入れることができるようにしたものである。
（請求項５）
請求項５に記載の発明によれば、上記した請求項１〜４のいずれか１項に記載の発明の効果に加え、次のような効果を奏する。
【００６６】
すなわち、請求項５に記載の発明によれば、巻き紐の押圧部により、身体が仰向けになるのを確実に防止することができるようにしたものである。
これに加え、請求項５に記載の発明によれば、身体が仰向けになると、押圧部により身体が押圧されることで、側臥位をうながすことができる。
（請求項６）
請求項６に記載の発明によれば、上記した請求項５に記載の発明の効果に加え、次のような効果を奏する。
【００６７】
すなわち、請求項６に記載の発明によれば、押圧部を球形に形成して、首の後ろ、背中、或いは腰等を押圧することができるようにしたものである。
（請求項７）
請求項７に記載の発明によれば、上記した請求項５に記載の発明の効果に加え、次のような効果を奏する。
【００６８】
すなわち、請求項７に記載の発明によれば、押圧部を背骨に沿って長い円柱形に形成して、背中を押圧することができるようにしたものである。
（請求項８）
請求項８に記載の発明によれば、上記した請求項１〜７のいずれか１項に記載の発明の効果に加え、次のような効果を奏する。
【００６９】
すなわち、請求項８に記載の発明によれば、巻き紐を首から吊り下げることができるようにしたものである。
（請求項９）
請求項９に記載の発明によれば、上記した請求項１〜８のいずれか１項に記載の発明の効果に加え、次のような効果を奏する。
【００７０】
すなわち、請求項９に記載の発明によれば、巻き紐を腰に巻くことができるようにしたものである。
（請求項１０）
請求項１０に記載の発明によれば、上記した請求項１〜７のいずれか１項に記載の発明の効果に加え、次のような効果を奏する。
【００７１】
すなわち、請求項１０に記載の発明によれば、巻き紐を肩に背負うことができるようにしたものである。
【図面の簡単な説明】
【図１】抱き枕用カバー及びクッションの斜視図である。
【図２】使用状態の斜視図である。
【図３】巻き紐を首から吊り下げた状態の側面図である。
【図４】図３に対応し、使用状態を説明するための他の側面図である。
【図５】巻き紐を腰に巻いた状態の側面図である。
【図６】本発明の第二の実施の形態の一例を示し、同図は抱き枕用カバー及びクッションの斜視図である。
【図７】本発明の第三の実施の形態の一例を示し、同図は抱き枕用カバー及びクッションの斜視図である。
【図８】抱き枕用カバーの側面図である。
【図９】使用状態の側面図である。
【符号の説明】
（第一の実施の形態）
１０  抱き枕用カバー        ２０  クッション
３０  カバー本体            ３１  上カバー
３２  下カバー              ３３  下顎支持部
４０  巻き紐                ５０  腕通し部
５１  連結部                ６０  押圧部
（第二の実施の形態）
２１  下顎支持部            ７０  下バンド
（第三の実施の形態）
８０  カバー本体            ９０  巻き紐
１００  押圧部                １１０，１１１  連結部材
【図１】
2004160068.tif 000003
【図２】
2004160068.tif 000004
【図３】
2004160068.tif 000005
【図４】
2004160068.tif 000006
【図５】
2004160068.tif 000007
【図６】
2004160068.tif 000008
【図７】
2004160068.tif 000009
【図８】
2004160068.tif 000010
【図９】
2004160068.tif 000011